(57)【特許請求の範囲】
【請求項１】
トラクタ１の後部にロータリ耕耘装置Ｂを装着し、該ロータリ耕耘装置Ｂの後方に支持フレーム１０を突設し、該支持フレーム１０の後部に取付ビーム１１を横設し、該取付ビーム１１上に支柱２０を立設し、該支柱２０に紙マルチフィルム被覆装置Ｃを装着し、
該紙マルチフィルム被覆装置Ｃは、前記支柱２０に載置フレーム２１の前部が上下位置調節可能に固定され、該載置フレーム２１の後部に水平方向に紙マルチフィルム支持フレーム２２を固設した構成とし、
該紙マルチフィルム支持フレーム２２の左右両側には、支持ローラー２３が回転自在に枢支され、該支持ローラー２３上に紙マルチフィルムＦを回転自在に載置し、
更に、前記載置フレーム２１・２１の中途部の後面に、ストッパー２６を付設し、該ストッパー２６と載置フレーム２１・２１上に、予備の紙マルチフィルムＦ１を載置し、更に、該予備の紙マルチフィルムＦ１と支柱２０の間の上に、他の予備の紙マルチフィルムＦ２を載置し、
前記載置した紙マルチフィルムＦと予備の紙マルチフィルムＦ１・Ｆ２を被覆するロールカバー３１を設け、該ロールカバー３１は、載置しただけの紙マルチフィルムＦ・Ｆ１・Ｆ２の脱落を抑止することを特徴とする紙マルチフィルム被覆装置。
【発明の詳細な説明】
【０００１】
【発明の属する技術分野】
本発明は、トラクタや管理機等の移動農機後部に畝整形器と紙マルチフィルム被覆装置を配置する技術に関する。
【０００２】
【従来の技術】
従来から野菜を栽培するために、圃場において畝整形を行うと同時にマルチフィルムを敷設することは行われており、マルチフィルムを敷設することによって土壌の温度を高めたり、保温したりして作物の生育を助長したり、作物を植えた場所以外の畝面に雑草が生えないようにしていた。
この従来技術のマルチフィルムはポリエチレン等の合成樹脂フィルムでできているために、分解することが殆どなく、使用後には剥がして、焼却したり捨てることとなっていた。
【０００３】
【発明が解決しようとする課題】
しかし、近年では資源の有効利用や環境問題が提起され、合成樹脂製のマルチフィルムに代わり紙マルチフィルムが提供されるようになってきており、紙マルチフィルムを使用することで、作物の収穫後には耕耘機等で土中に鋤込んで、回収する手間を省き、鋤込んだ紙マルチフィルムはパルプでできているために容易に分解し、有機物に変化することで肥料ともなり、生育に貢献することにもなる。
ところが、紙マルチフィルムを従来のマルチフィルム被覆装置にそのまま搭載すると、雨が降ると紙マルチフィルムは濡れて使用できなくなり、紙マルチフィルムを途中まで使用してそのまま格納しておくと汚れて次の作業時に使用できないこともあった。
【０００４】
【課題を解決するための手段】
本発明が解決しようとする課題は以上の如くであり、次に該課題を解決するための手段を説明する。
トラクタ１の後部にロータリ耕耘装置Ｂを装着し、該ロータリ耕耘装置Ｂの後方に支持フレーム１０を突設し、該支持フレーム１０の後部に取付ビーム１１を横設し、該取付ビーム１１上に支柱２０を立設し、該支柱２０に紙マルチフィルム被覆装置Ｃを装着し、該紙マルチフィルム被覆装置Ｃは、前記支柱２０に載置フレーム２１の前部が上下位置調節可能に固定され、該載置フレーム２１の後部に水平方向に紙マルチフィルム支持フレーム２２を固設した構成とし、該紙マルチフィルム支持フレーム２２の左右両側には、支持ローラー２３が回転自在に枢支され、該支持ローラー２３上に紙マルチフィルムＦを回転自在に載置し、更に、前記載置フレーム２１・２１の中途部の後面に、ストッパー２６を付設し、該ストッパー２６と載置フレーム２１・２１上に、予備の紙マルチフィルムＦ１を載置し、更に、該予備の紙マルチフィルムＦ１と支柱２０の間の上に、他の予備の紙マルチフィルムＦ２を載置し、前記載置した紙マルチフィルムＦと予備の紙マルチフィルムＦ１・Ｆ２を被覆するロールカバー３１を設け、該ロールカバー３１は、載置しただけの紙マルチフィルムＦ・Ｆ１・Ｆ２の脱落を抑止するものである。
【０００５】
【発明の実施の形態】
本発明の紙マルチフィルム被覆装置を説明する。
図１は紙マルチフィルム被覆装置の全体側面図、
図２は同じく斜視図、
図３はロールカバーを開けた状態の側面図である。
【０００６】
図１、図２において移動農機をトラクタ１として、該トラクタ１の後部に装着した紙マルチフィルム被覆装置Ｃの全体構成から説明する。
トラクタ１の後部には３点リンク式の作業機装着装置Ａを介して作業機としてロータリ耕耘装置Ｂが装着されている。ロータリ耕耘装置Ｂの前左右中央のギアボックスとトラクタ１の後面より突出したＰＴＯ軸との間にはユニバーサルジョイント２を介装して、該ロータリ耕耘装置Ｂのギアボックスから伝動軸やチェーンケース３内のチェーンやスプロケット等を介して耕耘爪軸に動力を伝え、耕耘爪軸上に植設した耕耘爪８を回動することで圃場を内盛り状に耕す。
【０００７】
前記ロータリ耕耘装置Ｂのサポート部より後方にデプスフレーム４が後方に上下回動自在に突出され、該デプスフレーム４の両側下方にゲージ輪５・５が軸支されている。該デプスフレーム４とトップリンク支持アーム６との間には長さ調節可能な調節リンク７を介装して、該調節リンク７はハンドル９を回動することによってゲージ輪５・５を上下してロータリ耕耘装置Ｂの耕耘深さを調節できるようにしている。
【０００８】
また、ロータリ耕耘装置Ｂ両側のチェーンケース３及びサイドサポートより後方に支持フレーム１０・１０を突設し、該支持フレーム１０・１０の後部に取付ビーム１１を横設し、該取付ビーム１１の両側よりステー１２・１２を後下方に突設している。以下左右対称に構成されているので一側に付いて説明する。該ステー１２の後下部に取付パイプ１４を上下位置調節可能に横設し、該取付パイプ１４に畝整形板１３を左右位置調節可能に取り付けて耕耘と同時に畝整形を行っている。
そして更に、前記取付パイプ１４の外側に、溝付アーム１５の前端を枢支し、該溝付アーム１５と取付パイプ１４より下方へ垂設したステー１６との間にバネ１７を介装して、溝付アーム１５を下方回動するように付勢するとともに、上方へ回動したときには死点越えとなって、上方回動位置で維持でき、収納できるようにしている。前記溝付アーム１５の後部には踏圧輪１８が回転自在に支持され、その後部に覆土ディスク１９が配置されて、溝付け覆土機構を構成している。
【０００９】
そして、前記取付ビーム１１上に支柱２０・２０を立設し、該支柱２０・２０に、本発明の紙マルチフィルム被覆装置Ｃが装着されている。即ち、支柱２０・２０に上下位置調節可能に側面視Ｌ字状の載置フレーム２１・２１の前部が固定され、本実施例では、支柱２０・２０に上下方向に開口したピン孔に、載置フレーム２１・２１の前部にピンを抜き差しすることにより上下位置調節可能としている。該載置フレーム２１・２１後下部に水平方向に紙マルチフィルム支持フレーム２２が固設され、該紙マルチフィルム支持フレーム２２は四角形の枠状に構成されて、内側の左右方向の長さを紙マルチフィルムＦの幅よりも長くしている。
該紙マルチフィルム支持フレーム２２の内側の前後左右両側には、支持ローラー２３・２３・２３・２３が回転自在に枢支され、該支持ローラー２３・２３・２３・２３上に紙マルチフィルムＦを巻いたロールを左右方向に回転自在に載置できるようにしている。
【００１０】
そして、前記載置フレーム２１・２１の中途部の後面に、円柱状のストッパー２６・２６が付設され、該ストッパー２６・２６と載置フレーム２１・２１上に予備の紙マルチフィルムＦ１を載置できるようにし、更に、その紙マルチフィルムＦ１と支柱２０の間の上に予備の紙マルチフィルムＦ２を載置できるようにしている。
但し、本実施例では二つの予備の紙マルチフィルムを載置できるようにしているが、３本以上であってもよくその数は限定するものではない。２７は紙マルチフィルムＦ・Ｆ１・Ｆ２の両側がずれないように押さえるロールガイドである。
【００１１】
また、紙マルチフィルム支持フレーム２２の後左右中央にガイドローラー取付フレーム２４が上下及び前後位置調整可能に取り付けられ、該ガイドローラー取付フレーム２４にガイドローラー２５が回転自在に支持されて引出しガイド機構を構成している。
該ガイドローラー２５は畝の形状に合わせた円錐状に構成されて、一対対向して配置されている。前記紙マルチフィルム支持フレーム２２の下部には、カッター装置Ｄが配置されて、圃場端や作業終了時に紙マルチフィルムＦを長手方向に対して直角方向に切断できるようにしている。
このようにして、紙マルチフィルムＦの一端を前記前後の支持ローラー２３・２３・２３・２３の間から下方に引出し、ガイドローラー２５の下方から後方へ引出し、畝端に固定すれば、走行しながら耕耘作業を行えば、同時に紙マルチフィルムＦが引き出されて、紙マルチフィルムＦの両側は踏圧輪１８に押さえられて、覆土ディスク１９によって土が被せられて押さえることができるのである。
【００１２】
そして、前記支柱２０・２０の上端には蝶番３０・３０が配置され、本発明のロールカバー３１の前部を枢支している。該ロールカバー３１の幅は紙マルチフィルムＦの幅よりも広く、載置する紙マルチフィルムＦ・Ｆ１・Ｆ２の上方及び前後左右側面を十分覆う大きさとして、その形状は紙マルチフィルムＦ・Ｆ１・Ｆ２を載置した形状に合わせており、紙マルチフィルムＦ１を前記ストッパー２６・２６だけで受け止めるだけでは振動や急発進等で飛び越える可能性もあるので、ロールカバー３１で押さえられるようにして、ロールカバー３１はできるだけコンパクトとなるようにもしている。
【００１３】
そして、ロールカバー３１の後部の形状は支持ローラー２３・２３・２３・２３上に載置した紙マルチフィルムＦの上部分のみを覆う構成として、紙マルチフィルムＦの残量が目視で容易に確認できるようにしている。但し、ロールカバー３１は透明の合成樹脂で構成して、内部を容易に視認できる構成としてもよい。
そして、ロールカバー３１の後端部には係止具３２を配置しており、該係止具３２に係止される被係止具３３が前記紙マルチフィルム支持フレーム２２の後部上に立設した取付体３４上に設けられている。
なお、本実施例では被係止具３３を磁石とし、取付体３４を鋼製として被係止具３３が取付体３４に接着するようにしているが、ワンタッチ係止具等を用いることもできる。また、本実施例ではロールカバー３１は前部を枢支して後部に係止具を設けているが、前部に係止具を設け、後部に枢支部を設けることもでき、また、側面を開閉できるようにする構成とすることもできる。
【００１４】
このような構成において、ロールカバー３１をセットして係止した状態では、紙マルチフィルムＦ・Ｆ１・Ｆ２を風雨や埃等から保護している。図３の如くロールカバー３１の後部を持ち上げて前部の蝶番３０・３０を中心に上方に回動して開けると、紙マルチフィルムＦ・Ｆ１・Ｆ２の載置部分の上方が開放されて、紙マルチフィルムＦがなくなって紙マルチフィルムＦ１を支持ローラー２３・２３・２３・２３上に下ろしたり、紙マルチフィルムＦ１・Ｆ２がなくなった場合に補給したりできるようにしている。
【００１５】
【発明の効果】
本発明は以上の如く構成したので、次のような効果を奏するのである。
即ち、トラクタ１の後部にロータリ耕耘装置Ｂを装着し、該ロータリ耕耘装置Ｂの後方に支持フレーム１０を突設し、該支持フレーム１０の後部に取付ビーム１１を横設し、該取付ビーム１１上に支柱２０を立設し、該支柱２０に紙マルチフィルム被覆装置Ｃを装着し、該紙マルチフィルム被覆装置Ｃは、前記支柱２０に載置フレーム２１の前部が上下位置調節可能に固定され、該載置フレーム２１の後部に水平方向に紙マルチフィルム支持フレーム２２を固設した構成とし、該紙マルチフィルム支持フレーム２２の左右両側には、支持ローラー２３が回転自在に枢支され、該支持ローラー２３上に紙マルチフィルムＦを回転自在に載置し、更に、前記載置フレーム２１・２１の中途部の後面に、ストッパー２６を付設し、該ストッパー２６と載置フレーム２１・２１上に、予備の紙マルチフィルムＦ１を載置し、更に、該予備の紙マルチフィルムＦ１と支柱２０の間の上に、他の予備の紙マルチフィルムＦ２を載置し、前記載置した紙マルチフィルムＦと予備の紙マルチフィルムＦ１・Ｆ２を被覆するロールカバー３１を設けたので、該ロールカバー３１は、載置しただけの紙マルチフィルムＦ・Ｆ１・Ｆ２の脱落を抑止することが出来るのである。
また、ロールカバーは紙マルチフィルムの載置部の上方を覆うようになり、作業中においては紙マルチフィルムを風雨や埃等から保護し、濡れたり、汚れたりすることがなく、新しい状態のままに保つことができる。
また、ロールカバーは容易に開閉できて、紙マルチフィルムのセットや補充も容易にできるのである。
【図面の簡単な説明】
【図１】  紙マルチフィルム被覆装置の全体側面図である。
【図２】  同じく斜視図である。
【図３】  ロールカバーを開けた状態の側面図である。
【符号の説明】
Ｃ    紙マルチフィルム被覆装置
Ｆ    紙マルチフィルム
１８  踏圧輪
１９  覆土ディスク
２１  載置フレーム
２５  ガイドローラー
３１  ロールカバー
【図１】
0003642898.tif 000002
【図２】
0003642898.tif 000003
【図３】
0003642898.tif 000004